(57)【要約】【課題】  複数の番組を含む録画済みの映像データを容易に編集する。【解決手段】  ハードディスクレコーダ１０は、削除する番組を特定する情報を受付けるリモコン受信部３４と、番組の映像音声信号、ならびに連続する複数の番組それぞれの放送を開始する時刻および放送を終了する時刻のいずれかを表わす情報を受信するチューナ２４と、複数の番組を含む記録データを記録するＨＤ装置２２と、記録データ、ならびに複数の番組それぞれの放送を開始する時刻および放送を終了する時刻のいずれかを表わす情報を用いて、複数の番組それぞれの個別番組データを構成し、削除する番組を特定する情報を用いて削除する番組を特定し、自らが特定した番組の個別番組データの、少なくとも一部を削除する制御部３６とを含む。【選択図】        図１
2006174271.tif 000002
【特許請求の範囲】
【請求項１】
番組の内容の分類を特定する情報を受付けるための受付手段と、
番組の映像音声信号、ならびに連続する複数の番組それぞれの放送を開始する時刻および放送を終了する時刻のいずれかを表わす情報を受信するチューナと、
複数の番組を含む記録データを記録するハードディスクドライブと、
前記記録データ、ならびに前記複数の番組それぞれの放送を開始する時刻および放送を終了する時刻のいずれかを表わす情報を用いて、前記複数の番組それぞれの個別番組データを構成するための構成手段と、
前記番組の内容の分類を特定する情報を用いて、削除する番組を特定するための特定手段と、
前記特定手段が特定した番組の個別番組データの、少なくとも一部を削除するための削除手段とを含むハードディスクレコーダ。
【請求項２】
番組の映像音声信号、および複数の前記番組のいずれかを放送する時刻を表わす情報を受信するための受信手段と、
複数の番組を含む記録データを記録するための記録手段と、
前記記録データ、および前記複数の番組のいずれかを放送する時刻を表わす情報を用いて、前記複数の番組のいずれかの個別番組データを構成するための構成手段とを含む、番組記録装置。
【請求項３】
前記複数の番組のいずれかを放送する時刻は、連続する前記複数の番組それぞれの区切りとなる時刻を含み、
前記構成手段は、前記記録データ、および前記連続する複数の番組それぞれの区切りとなる時刻を表わす情報を用いて、前記連続する複数の番組それぞれの個別番組データを構成するための手段を含む、請求項２に記載の番組記録装置。
【請求項４】
前記区切りとなる時刻は、放送を開始する時刻および放送を終了する時刻のいずれかを含む、請求項３に記載の番組記録装置。
【請求項５】
前記番組記録装置は、
削除する番組を特定する情報を受付けるための受付手段と、
前記削除する番組を特定する情報を用いて、前記削除する番組を特定するための特定手段と、
前記特定手段が特定した番組のデータの、少なくとも一部を削除するための削除手段とをさらに含む、請求項２に記載の番組記録装置。
【請求項６】
前記削除する番組を特定する情報は、番組の分類を特定する情報を含む、請求項５に記載の番組記録装置。
【請求項７】
前記番組の分類は、前記番組の内容の分類を含む、請求項６に記載の番組記録装置。
【請求項８】
前記個別番組データは、タイトルを表わすデータを含み、
前記番組記録装置は、
前記タイトルの一部が合致する２つ以上の番組を検索するための検索手段と、
前記タイトルの一部が合致する２つ以上の番組の個別番組データを１つの番組の個別番組データに合成するための合成手段とをさらに含む、請求項２に記載の番組記録装置。
【請求項９】
前記タイトルの一部は、前記タイトルの先頭部分を含む、請求項８に記載の番組記録装置。
【請求項１０】
前記タイトルの先頭部分は、前記タイトルの先頭から５文字の部分を含む、請求項９に記載の番組記録装置。
【発明の詳細な説明】
【技術分野】
【０００１】
本発明は、ハードディスクレコーダおよび番組記録装置に関し、特に、録画済みの番組を管理できるハードディスクレコーダおよび番組記録装置に関する。
【背景技術】
【０００２】
特許文献１は、記録部に記録された放送信号に関連付けされた記録情報に基づいて、放送信号の記録開始時刻から記録終了時刻までの全番組の名前、開始時刻、終了時刻などの情報を、放送信号の中の電子ガイドから抽出し、すべての番組の情報の画像を生成し、モニタ情報に出力する放送記録装置を開示する。この考案によると、複数の番組を連続して記録した場合でも、各番組の情報を確認することができる。
【０００３】
特許文献２は、番組に関連する情報を放送またはネットワークから取得する取得装置を有するシステムにおいて、少なくとも１つのチャンネルで、現在の時刻を基準として一定の番組数または一定の時間長だけ次に録画し続け、一定の番組数または時間長から外れた番組または番組の一部分については消去する記録再生装置を開示する。この発明によると、少ない記憶領域でタイムフリー視聴を可能とすることができる。
【０００４】
特許文献３は、受信チャンネル、録画を開始する時刻、録画を終了する時刻などの情報を入力する入力ステップと、入力ステップで入力した情報を予約の情報として認識し直す認識ステップと、認識ステップで認識し直した情報を用いるか、あるいは、入力ステップで入力した情報を用いるかを選択する選択ステップと、選択ステップにより選択された方の情報により予約を設定する設定ステップと、を有してなる番組の記録方法を開示する。この発明によると、確実に録画を予約でき、いわゆる「自動追従」録画が可能で、かつ録画された番組とともに番組の一覧表を表示させることで、使用者にとって好適な記録装置を提供することができる。
【０００５】
特許文献４は、番組の放送時間、チャンネル、および内容を表わす番組情報を複数の番組分記憶する蓄積部と、予約の条件を複数記憶する予約用の蓄積部と、予約の条件毎にその予約に対応する番組を電子番組表から検索する検索部と、検索された番組の間で放送時間が重複する場合、重複する番組の中から１つの番組を選択し予約する管理部とを含む予約装置を開示する。この発明によると、ユーザにとって面倒な判断や作業を減らすことができる。
【０００６】
特許文献５は、ランダムアクセス可能な記録媒体を有し、記録媒体に受信した番組の記録、再生を行なうデジタル放送記録再生装置において、記録媒体内に記録した番組に、優先度を与える優先度決定回路と、優先度決定回路によって与えられた優先度が低い番組ほど、高い圧縮率で記録してその記憶領域の占有率を小さくする圧縮回路と、を有することを特徴とするデジタル放送記録再生装置を開示する。この発明によると、使用者にとって最も不要な番組から順に圧縮などをすることができるデジタル放送記録再生装置を提供することができる。
【０００７】
特許文献６は、ＣＳチューナの制御部が、シリーズ記録モードが設定されているとき、データ検索部によりＥＰＧデータ蓄積部に蓄積されている最新の番組データの内容を任意のタイミングで検索し、記憶部に記憶されたタイトルと同じタイトルの番組を検出すると、その検出した番組の番組データに含まれる話数と記憶部に記憶されている話数とを比較し、両話数が一致するときには、その番組の放送日時に、チューナ部にて該当する番組を受信し、記録媒体であるビデオカセットレコーダの磁気テープに記録するとともに、記録後に記憶部に記憶されている話数を増加させかつ記憶更新する放送信号受信記録システムを開示する。この発明によると、送信されてくる番組データを利用して、シリーズものの番組の各話の放送日時を画面上に表示することで、シリーズものの番組の録画ミスをなくしたり、連続して自動録画したりすることができる。
【０００８】
特許文献７は、番組タイトル名および放送時刻に係る電子番組情報より第１の番組タイトル名を指定回路により指定し、その番組タイトル名の文字列と一部が同一であり、次回に放送される第２の番組タイトル名を検出回路により検出するとともに、その放送時刻を取得回路により得、第２のタイトルの番組を予約回路により予約してハードディスクに記録するようにし、放送の時間帯の変更に自動的に追従できる番組の予約記録装置を開示する。この発明によると、同一のジャンルに係る番組でほぼ同一の時間帯に放送される番組があるような場合には、番組タイトルに拘らずその同一ジャンルの番組を毎回録画できる。
【０００９】
特許文献８は、複数回放送される１つの番組を複数部分に分けて受信して記録媒体に記録することを特徴とする記録方法を開示する。この発明によると、放送される番組を記録する際、より早く記録を完了できる。
【００１０】
特許文献９は、予約のための操作キーを備え、電子情報として送信されてくる情報を受信しその情報に基づくとともに操作キーによる操作に応じて予約の情報を作成して管理し、予約の情報に基づいて録画を開始および終了する録画予約管理装置において、録画のために選択した番組の予約にあたり、開始時刻あるいは終了時刻からのオフセット時間を設定し開始の時刻あるいは終了の時刻よりもオフセット時間だけ異なる時刻に録画を開始あるいは終了するように予約するオフセット回路を有する録画予約管理装置を開示する。この発明によると、予約の自由度の確保と、放送変更などに対応した予約の修正による利便性との両立を実現できる。
【００１１】
特許文献１０は、モニタに表示される電子番組ガイド上の番組単位に移動できるカーソルを有し、このカーソルが位置付けられた番組を番組単位に予約するデジタル放送受信装置において、複数の番組により構成されているにも拘らず１番組として１つの番組枠で表示される情報を、各構成される番組単位に仕切り線を表示するとともに、番組枠全体に位置付けられたカーソルを仕切り線単位に変更し表示する表示回路と、仕切り線単位に表示変更されたカーソルが位置付けられた構成番組を録画予約する制御回路とを備えるデジタル放送受信装置を開示する。この発明によると、録画を予約する際、番組単位にとらわれることなく、自由度を増して予約できるデジタル放送受信装置を提供することができる。
【００１２】
しかしながら、特許文献１〜特許文献１０に開示された考案や発明では、いったん録画された記録データが複数の番組を含む場合、それらの番組のいずれかの削除や結合などといった記録データの番組単位での編集が困難であるという問題点がある。いったん１つの記録データとして録画されると、個々の番組の区切りがどこにあるのか特定することが困難なためである。
【特許文献１】登録実用新案第３０９０７０９号公報
【特許文献２】特開２０００−１８４３２０号公報
【特許文献３】特開２００３−３３３４７９号公報
【特許文献４】特開２０００−２９５５５４号公報
【特許文献５】特開２００１−１０１７９７号公報
【特許文献６】特開２００１−２４５２４４号公報
【特許文献７】特開２００３−４６９２１号公報
【特許文献８】特開２００１−２８７２５号公報
【特許文献９】特開２００１−１５５３９３号公報
【特許文献１０】特開２００３−３０４４７６号公報
【発明の開示】
【発明が解決しようとする課題】
【００１３】
本発明は上述の問題点を解決するためになされたものであって、その目的は、複数の番組を含む録画済みの記録データを容易に編集できるハードディスクレコーダおよび番組記録装置を提供することにある。
【課題を解決するための手段】
【００１４】
上記目的を達成するために、本発明のある局面にしたがうと、ハードディスクレコーダは、番組の内容の分類を特定する情報を受付けるための受付手段と、番組の映像音声信号、ならびに連続する複数の番組それぞれの放送を開始する時刻および放送を終了する時刻のいずれかを表わす情報を受信するチューナと、複数の番組を含む記録データを記録するハードディスクドライブと、記録データ、ならびに複数の番組それぞれの放送を開始する時刻および放送を終了する時刻のいずれかを表わす情報を用いて、複数の番組それぞれの個別番組データを構成するための構成手段と、番組の内容の分類を特定する情報を用いて、削除する番組を特定するための特定手段と、特定手段が特定した番組の個別番組データの、少なくとも一部を削除するための削除手段とを含む。
【００１５】
すなわち、構成手段は、記録データ、ならびに複数の番組それぞれの放送を開始する時刻および放送を終了する時刻のいずれかを表わす情報を用いて、複数の番組それぞれの個別番組データを構成する。受付手段は、番組の内容の分類を特定する情報を受付ける。特定手段は、番組の内容の分類を特定する情報を用いて、削除する番組を特定する。削除手段は、特定手段が特定した番組の個別番組データの、少なくとも一部を削除する。これにより、記録データを特に容易に編集できる。その結果、複数の番組を含む録画済みの記録データを特に容易に編集できるハードディスクレコーダを提供することができる。
【００１６】
本発明の他の局面にしたがうと、番組記録装置は、番組の映像信号、および複数の番組のいずれかを放送する時刻を表わす情報を受信するための受信手段と、複数の番組を含む記録データを記録するための記録手段と、記録データ、および複数の番組のいずれかを放送する時刻を表わす情報を用いて、複数の番組のいずれかの個別番組データを構成するための構成手段とを含む。
【００１７】
すなわち、構成手段は、記録データ、および複数の番組のいずれかを放送する時刻を表わす情報を用いて、複数の番組のいずれかの個別番組データを構成する。これにより、記録データを容易に編集できる。その結果、複数の番組を含む録画済みの記録データを容易に編集できる番組記録装置を提供することができる。
【００１８】
また、上述の複数の番組のいずれかを放送する時刻は、連続する複数の番組それぞれの区切りとなる時刻を含むことが望ましい。構成手段は、記録データ、および連続する複数の番組それぞれの区切りとなる時刻を表わす情報を用いて、連続する複数の番組それぞれの個別番組データを構成するための手段を含むことが望ましい。
【００１９】
すなわち、構成手段は、記録データ、および連続する複数の番組それぞれの区切りとなる時刻を表わす情報を用いて、連続する複数の番組それぞれの個別番組データを構成する。これにより、記録データを、番組それぞれの区切りでより容易に編集できる。その結果、複数の番組を含む録画済みの記録データをより容易に編集できる番組記録装置を提供することができる。
【００２０】
また、上述の区切りとなる時刻は、放送を開始する時刻および放送を終了する時刻のいずれかを含むことが望ましい。
【００２１】
すなわち、構成手段は、記録データ、ならびに連続する複数の番組それぞれの放送を開始する時刻および放送を終了する時刻のいずれかを表わす情報を用いて、連続する複数の番組それぞれの個別番組データを構成する。これにより、記録データを、放送を開始する時刻および放送を終了する時刻のいずれかでさらに容易に編集できる。その結果、複数の番組を含む録画済みの記録データをさらに容易に編集できる番組記録装置を提供することができる。
【００２２】
また、上述の番組記録装置は、削除する番組を特定する情報を受付けるための受付手段と、削除する番組を特定する情報を用いて、削除する番組を特定するための特定手段と、特定手段が特定した番組の個別番組データの、少なくとも一部を削除するための削除手段とをさらに含むことが望ましい。
【００２３】
すなわち、構成手段は、記録データ、および複数の番組のいずれかを放送する時刻を表わす情報を用いて、複数の番組のいずれかの個別番組データを構成する。受付手段は、削除する番組を特定する情報を受付ける。特定手段は、削除する番組を特定する情報を用いて、削除する番組を特定する。削除手段は、特定手段が特定した番組の個別番組データの、少なくとも一部を削除する。これにより、記録データをより容易に編集できる。その結果、複数の番組を含む録画済みの記録データをより容易に編集できる番組記録装置を提供することができる。
【００２４】
また、上述の削除する番組を特定する情報は、番組の分類を特定する情報を含むことが望ましい。
【００２５】
すなわち、特定手段は、番組の分類を特定する情報を用いて、削除する番組を特定する。削除手段は、特定手段が特定した番組の個別番組データの、少なくとも一部を削除する。これにより、記録データをさらに容易に編集できる。その結果、複数の番組を含む録画済みの記録データをより容易に編集できる番組記録装置を提供することができる。
【００２６】
また、上述の番組の分類は、番組の内容の分類を含むことが望ましい。
【００２７】
すなわち、特定手段は、番組の内容の分類を特定する情報を用いて、削除する番組を特定する。削除手段は、特定手段が特定した番組の個別番組データの、少なくとも一部を削除する。これにより、記録データを特に容易に編集できる。その結果、複数の番組を含む録画済みの記録データを特に容易に編集できる番組記録装置を提供することができる。
【００２８】
また、上述の個別番組データは、タイトルを表わすデータを含むことが望ましい。番組記録装置は、タイトルの一部が合致する２つ以上の番組を検索するための検索手段と、タイトルの一部が合致する２つ以上の番組の個別番組データを１つの番組の個別番組データに合成するための合成手段とをさらに含むことが望ましい。
【００２９】
すなわち、構成手段は、記録データ、および複数の番組のいずれかを放送する時刻を表わす情報を用いて、複数の番組のいずれかの個別番組データを構成する。検索手段は、タイトルを表わすデータにより、タイトルの一部が合致する２つ以上の番組を検索する。合成手段は、タイトルの一部が合致する２つ以上の番組の個別番組データを１つの番組の個別番組データに合成する。これにより、記録データをより容易に編集できる。その結果、複数の番組を含む録画済みの記録データをより容易に編集できる番組記録装置を提供することができる。
【００３０】
また、上述のタイトルの一部は、タイトルの先頭部分を含むことが望ましい。
【００３１】
すなわち、検索手段は、タイトルを表わすデータにより、タイトルの先頭部分が合致する２つ以上の番組を検索する。これにより、記録データを効果的かつより容易に編集できる。その結果、複数の番組を含む録画済みの記録データを効果的かつより容易に編集できる番組記録装置を提供することができる。
【００３２】
また、上述のタイトルの先頭部分は、タイトルの先頭から５文字の部分を含むことが望ましい。
【００３３】
すなわち、検索手段は、タイトルを表わすデータにより、タイトルの先頭から５文字の部分が合致する２つ以上の番組を検索する。これにより、記録データをより効果的かつ容易に編集できる。その結果、複数の番組を含む録画済みの記録データをより効果的かつ容易に編集できる番組記録装置を提供することができる。
【発明の効果】
【００３４】
本発明に係るハードディスクレコーダおよび番組記録装置は、複数の番組を含む録画済みの記録データを容易に編集できる。
【発明を実施するための最良の形態】
【００３５】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３６】
図１のハードディスクレコーダ１０は、２種類のデジタル記録メディア再生装置を内蔵し、記録メディアから再生されたコンテンツなど供給される各種コンテンツを、装置外部に予め接続されたモニタ装置１４に映像信号または音声信号として視聴可能なように出力するＥＰＧ（Electronic Program Guide）機能付きの装置である。リモコン（リモートコントローラの略）１２は、ユーザが各種の指令を入力するために操作される装置であり、その指令に対応する赤外線信号を発信する。
【００３７】
ハードディスクレコーダ１０は、ＤＶＤ（Digital Versatile Disc）読取部２０と、ＨＤ（Hard Disk）装置２２と、放送局から送信されるデジタル放送信号を受信する外部のアンテナ６０を接続するチューナ２４と、ＯＳＤ（On Screen Display)５０を内蔵するデコーダ２６と、メモリ２８と、映像出力部３０と、音声出力部３２と、リモコン受信部３４と、制御部３６と、外部からデジタル情報を供給するための外部装置７０を接続する外部Ｉ／Ｆ（Inter Face）３８とを備える。
【００３８】
ＤＶＤ読取部２０は光ディスク（本実施の形態の場合ＤＶＤディスク）に記録されたデジタルコンテンツの情報を読出す装置である。本実施の形態の場合、ＤＶＤディスクには、任意の情報（本実施の形態の場合、デジタルコンテンツの情報）が記録されている。
【００３９】
ＨＤ装置２２は、ユーザ所望のデジタルコンテンツの信号をハードディスク４２に記録し、その記録したデジタルコンテンツの信号を読出すハードディスクドライブである。ここで、ハードディスク４２に記録される信号としては、たとえばＭＰＥＧ２（Motion Picture Experts Group 2）規格に準拠する映像ファイルやＭＰ３（MPEG-1 Audio Layer3）規格に準拠する音声ファイルなどが挙げられる。
【００４０】
チューナ２４は、アンテナ６０を介して放送局から発信されるデジタル放送信号を入力すると、制御部３６により指定されるチャンネルの放送信号（デジタルコンテンツの信号）を抽出して出力する。
【００４１】
デコーダ２６は、ＤＶＤ読取部２０により再生されたデジタルコンテンツの信号、ＨＤ装置２２がハードディスク４２から読出したデジタルコンテンツの信号、チューナ２４が受信したデジタルコンテンツの信号および外部Ｉ／Ｆ３８を介して外部装置７０から入力されたデジタルコンテンツの信号のうちのいずれかが制御部３６の切換制御により与えられると、与えられたそのデジタル信号を入力して復号（デコード）して出力する。デコーダ２６が内蔵するＯＳＤ５０は制御部３６により与えられた情報に基づいて画像データを生成し、それをモニタ装置１４の画面に可視表示するために映像出力部３０に対して出力する。
【００４２】
メモリ２８には、チューナ２４が受信可能な放送チャンネルが予めチャンネルスキャン（オートスキャン）して取得されて格納され、また、制御部３６の動作プログラムが格納される。メモリ２８には、後述する情報の処理のためのフラグやデータも格納されている。
【００４３】
音声出力部３２は、デコーダ２６が復号した音声信号をモニタ装置１４が出力可能な音声信号に変換してモニタ装置１４に対して出力する。リモコン受信部３４は、赤外線を介してリモコン１２から発信される各種の指令信号を受信して、その指令信号を制御部３６に伝送する。制御部３６は、メモリ２８に格納された動作プログラムに基づいて装置各部の制御を行なう。
【００４４】
ＨＤ装置２２は、記録媒体（本実施の形態の場合ハードディスク４２）が記録した番組を構成する情報のいずれかを読出す読出しヘッド４４と、記録媒体に情報を記録する記録ヘッド４６とを含む。
【００４５】
図２を参照して、ハードディスクレコーダ１０で実行されるプログラムは、番組の管理に関し、以下のような制御構造を有する。
【００４６】
ステップ１００（以下、ステップをＳと略す。）にて、リモコン受信部３４は、リモコン１２から設定を表わす信号を受付ける。本実施の形態において、この「設定」とは、特定のジャンルの番組の抽出、および不要なジャンルの番組の削除のいずれかを表わす。これにより、リモコン受信部３４は、削除する番組を特定する情報を受付けることとなる。
【００４７】
Ｓ１０２にて、チューナ２４は、アンテナ６０を用いてＥＰＧを取得する。すなわち、チューナ２４は、番組表（本実施の形態の場合、「番組表」とは、複数の番組それぞれを放送する時刻、番組が放送されるチャンネル、番組のジャンル、および番組のタイトルの総称である）を表わす情報を受信する。これにより、ＥＰＧが表わす情報から、各チャンネルの直近の番組の情報が得られる。
【００４８】
Ｓ１０４にて、チューナ２４は、アンテナ６０を用いて複数の番組の映像音声信号（「映像音声信号」とは、映像を表わす映像信号および音声を表わす音声信号の総称をいう）を受信する。制御部３６は、チューナ２４が受信した映像音声信号を、映像を表わすデータおよび音声を表わすデータに変換する。ＨＤ装置２２が、複数の番組（本実施の形態の場合、実際には、複数の番組の映像を表わす映像データおよび複数の番組の音声を表わす音声データ）を含む記録データを記録する。本実施の形態の場合、記録データは、映像の管理のための第１データ（いわゆる管理データはこのデータの一種である）および映像そのものを表わす第２データを含む。
【００４９】
Ｓ１０６にて、制御部３６は、Ｓ２２にて録画した記録データを、番組の切れ目となる時刻で（本実施の形態の場合、この「番組の切れ目となる時刻」とは、番組を開始する予定の時間および番組を終了する予定の時間のいずれかをいう。「番組の切れ目となる時刻」は、Ｓ１０２にて取得した番組表の情報から取得される。）複数の番組の個別番組データに分割する。この分割により、制御部３６は、Ｓ１０４にてＨＤ装置２２が記録した記録データ、およびＥＰＧ（すなわち複数の番組のいずれかを放送する時刻を表わす情報）を用いて、複数の番組のいずれかの個別番組データを構成することとなる。この分割により、これら複数の番組の個別番組データは、それぞれＳ２２にて録画した記録データと同じ種類のデータ（第１データおよび第２データ）を含むこととなる（本実施の形態の場合、実際には、１つのメモリ２８の中に複数の第１データを含むデータテーブルと、第２データに対応するデータの集合体とが形成されることとなる）。複数の番組それぞれの個別番組データが含む第１データおよび第２データは、Ｓ２２にて録画した記録データの第１データ、第２データ、および番組の切れ目となる情報を用いて、制御部３６が構成する。このステップにおいて、複数の番組それぞれの個別番組データが含む第１データは、Ｓ２２にて録画した記録データの第１データと同じ内容のデータである。ただしデータの容量や映像の再生に要する時間に関するデータは、番組の切れ目となる情報に対応する内容のデータとなる。複数の番組それぞれが含む第２データは、Ｓ２２にて録画した記録データの第２データから、番組の切れ目となる情報に対応するように抽出されたデータとなる。
【００５０】
Ｓ１０８にて、制御部３６は、Ｓ１０６にて分割した各番組に、番組のジャンルの情報やタイトル名の情報を割当てる。本実施の形態の場合、制御部３６は、各番組の第１データがジャンルの情報やタイトル名の情報を含むように、第１データを更新する。ジャンルの情報やタイトル名の情報は、Ｓ１０２にて受信した番組表の情報に含まれている。
【００５１】
Ｓ１１０にて、制御部３６は、Ｓ１００にて受付けた設定が特定のジャンルの番組の抽出を意味するか否かを判断する。特定のジャンルの番組の抽出を意味すると判断した場合には（Ｓ１１０にてＹＥＳ）、処理はＳ１１２へと移される。もしそうでないと（Ｓ１１０にてＮＯ）、処理はＳ１１４へと移される。
【００５２】
Ｓ１１２にて、制御部３６は、各番組に対応するジャンネルの情報を参照する。ジャンルの情報が参照されると、制御部３６は、参照されたジャンルの情報が「設定」にて特定されたジャンル以外のジャンルを表わすか否かを判断する。これにより、制御部３６は、番組の内容の分類を特定する情報を用いて、削除する番組を特定することとなる。ジャンルの情報が「設定」にて特定されたジャンル以外のジャンルを表わすのであれば、そのジャンルの情報に対応する番組を削除する（本実施の形態の場合、実際には、制御部３６は、その番組に対応する第１データを削除する。第１データには、その番組に対応する第２データが記録されたハードディスク４２上の位置のデータが含まれていることとする）。これにより、制御部３６は、リモコン受信部３４がＳ１００にて受付けた情報が特定する番組（実際にはそのような番組の個別番組データ）の少なくとも一部を削除することとなる。
【００５３】
Ｓ１１４にて、制御部３６は、各番組に対応するジャンネルの情報を参照する。ジャンルの情報が参照されると、制御部３６は、参照されたジャンルの情報が「設定」にて特定されたジャンルを表わすか否かを判断する。これにより、制御部３６は、番組の内容の分類を特定する情報を用いて、削除する番組を特定することとなる。ジャンルの情報が「設定」にて特定されたジャンルを表わすのであれば、そのジャンルの情報に対応する番組を削除する。これにより、制御部３６は、リモコン受信部３４がＳ１００にて受付けた情報が特定する番組（実際にはそのような番組の個別番組データ）の少なくとも一部を削除することとなる。
【００５４】
Ｓ１１６にて、制御部３６は、各番組に対応するタイトルの情報を参照する。タイトルの情報が参照されると、制御部３６は、タイトルの情報の一部が一致する番組が存在するか否かを判断する。これにより、制御部３６は、タイトルの一部が合致する２つ以上の番組を検索することとなる。本実施の形態の場合、「タイトルの情報の一部」は、その情報が表わすタイトルの先頭部分である。ユーザが番組を結合させたいと考えるような番組は、タイトルの先頭部分が共通することが多いからである。本実施の形態の場合、「先頭部分」とは「タイトルの先頭から５文字の部分」である。タイトルの先頭部分が共通するとすれば、少なくとも先頭の５文字が共通することが多いからである。番組が存在すると判断した場合には（Ｓ１１６にてＹＥＳ）、処理はＳ１１８へと移される。もしそうでないと（Ｓ１１６にてＮＯ）、処理は終了する。
【００５５】
Ｓ１１８にて、制御部３６は、タイトルの一部が合致する２つ以上の番組の個別番組データを１つの番組の個別番組データに合成する。この合成により、これら２つ以上の番組の個別番組データは、単一の第１データおよび単一の第２データに改造されることとなる（本実施の形態の場合、実際には、１組の第１データおよび第２データを更新し、他の第１データおよび第２データを削除する）。
【００５６】
以上のような構造およびフローチャートに基づく、ハードディスクレコーダ１０の動作について説明する。
【００５７】
［特定のジャンルの番組を抽出し、かつタイトルが同一の番組を結合する場合］
リモコン受信部３４は、「設定」を受付ける（Ｓ１００）。設定が受付けられると、チューナ２４は、ＥＰＧを取得する（Ｓ１０２）。ＥＰＧが取得されると、ＨＤ装置２２が、複数の番組を含む記録データなどを記録する（Ｓ１０４）。これにより、予約の内容を表わす情報に代えて、連続する複数の番組を含む記録データが、ＨＤ装置２２に録画される。図３は、このことを表わす図である。
【００５８】
録画が実行されると、制御部３６は、録画された記録データを番組毎に分割する（Ｓ１０６）。この場合、制御部３６は、連続する複数の番組それぞれの区切りとなる時刻（放送を開始する時刻兼放送を終了する時刻）を表わす情報を用いて、複数の番組それぞれの個別番組データ（複数の番組のいずれかの個別番組データであってもよいが、この場合は複数の番組それぞれの個別番組データである）を構成することとなる。図４を参照して、「番組Ａ」〜「番組Ｃ」はこのように分割された個別番組データを表わす。記録データが分割されると、制御部３６は、各番組にジャンルやタイトル名を割当てる（Ｓ１０８）。図４を参照して、「タイトルＡ」〜「タイトルＣ」は、番組毎にジャンルやタイトル名などが割当てられたことを表わす。
【００５９】
タイトル名などが割当てられると、制御部３６は、「設定」が特定のジャンルの番組の抽出を意味するか否かを判断する（Ｓ１１０）。この場合、特定のジャンルの番組の抽出を意味するので（Ｓ１１０にてＹＥＳ）、制御部３６は、設定したジャンル以外の番組を削除する（Ｓ１１２）。図５は、Ｓ１０４にて録画された記録データのうち、設定したジャンル以外の番組が削除される状況を表わす図である。
【００６０】
番組が削除されると、制御部３６は、タイトルの情報の一部が一致する番組が存在するか否かを判断する（Ｓ１１６）。図６は、図５に示す個別番組データのタイトルの一部を表わす図である。タイトル「ドラマＡ」が一致している。制御部３６は、タイトルの情報の一部が一致する番組が存在するので（Ｓ１１６にてＹＥＳ）、制御部３６は、タイトルの一部が合致する２つ以上の番組の個別番組データを１つの番組の個別番組データに合成する（Ｓ１１８）。図７は、タイトル「ドラマＡＡ」が共通する番組が合成された状況を表わす概念図である。
【００６１】
［不要なジャンルの番組を削除し、かつ同一のタイトルの番組がない場合］
Ｓ１００〜Ｓ１０８の処理を経て、制御部３６は、設定が特定のジャンルの番組の抽出を意味するか否かを判断する（Ｓ１１０）。この場合、設定は不要なジャンルの番組の削除を意味するので（Ｓ１１０にてＮＯ）、制御部３６は、設定したジャンルの番組を削除する（Ｓ１１４）。図８は、不要なジャンルの番組が削除される状況を表わす概念図である。
【００６２】
番組が削除されると、制御部３６は、タイトルの情報の一部が一致する番組が存在するか否かを判断する（Ｓ１１６）。図９は、図８に示す記録データのタイトルの一部を表わす図である。この場合、この図と同様に、図８に示す記録データのどのタイトルも一致していないので（Ｓ１１６にてＮＯ）、そのまま処理は終了する。
【００６３】
以上のようにして、本実施の形態に係るハードディスクレコーダは、記録データに含まれた複数の番組のいずれかを、タイトルごとに事後（すなわち録画後）に分割できる。本実施の形態に係るハードディスクレコーダは、分割された番組のうち、不必要な番組（たとえばスポーツ番組の途中に入るニュース番組の類）を削除できる。本実施の形態に係るハードディスクレコーダは、分割された番組を結合できる。分割された番組は、それぞれ独立して記録メディア（光ディスクなど）に記録できる。これにより、長時間録画された記録データが細分化される。ユーザは、視聴したいタイトルを容易に検索できる。細分化された記録データは番組ごとに編集される。ユーザは、必要な番組を抽出するように、記録データを編集できる。必要な番組が抽出されるので、必要な番組の記録データを効率よく得ることができる。ユーザは、不必要な番組を削除するように、記録データを編集できる。不必要な番組が削除されるので、不必要な番組の記録データを効率よく取除くことができる。その結果、複数の番組を含む録画済みの記録データを番組ごとに効率よく編集できるハードディスクレコーダを提供することができる。
【００６４】
なお、ハードディスクレコーダ１０は、上述した音声データのみを受信し、記録する装置であってもよい。この場合、記録データは、複数の番組の音声を表わす音声データのみを含むこととなる。また、記録データは、音声の管理のための第１データおよび音声そのものを表わす第２データを含むこととなる。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】本発明の実施の形態に係るハードディスクレコーダの制御ブロック図である。
【図２】本発明の実施の形態に係る番組の管理処理の制御の手順を示すフローチャートである。
【図３】本発明の実施の形態に係る予約および記録データの記録を表わす概念図である。
【図４】本発明の実施の形態に係る記録データの分割およびタイトルの割当てを表わす概念図である。
【図５】本発明の実施の形態に係る記録データから特定のジャンルの番組が抽出されることを表わす概念図である。
【図６】本発明の実施の形態に係る記録データのタイトル（その１）を表わす図である。
【図７】本発明の実施の形態に係る記録データにおいて互いに類似するタイトルの番組を合成した場合の概念図である。
【図８】本発明の実施の形態に係る記録データから不要なジャンルの番組が削除されることを表わす概念図である。
【図９】本発明の実施の形態に係る記録データのタイトル（その２）を表わす図である。
【符号の説明】
【００６７】
１０  ハードディスクレコーダ、１２  リモコン、１４  モニタ装置、２０  ＤＶＤ読取部、２２  ＨＤ装置、２４  チューナ、２６  デコーダ、２８  メモリ、３０  映像出力部、３２  音声出力部、３４  リモコン受信部、３６  制御部、３８  外部Ｉ／Ｆ、４２  ハードディスク、４４  読出しヘッド、４６  記録ヘッド、５０  ＯＳＤ、６０  アンテナ、７０  外部装置。
【図１】
2006174271.tif 000003
【図２】
2006174271.tif 000004
【図３】
2006174271.tif 000005
【図４】
2006174271.tif 000006
【図５】
2006174271.tif 000007
【図６】
2006174271.tif 000008
【図７】
2006174271.tif 000009
【図８】
2006174271.tif 000010
【図９】
2006174271.tif 000011